(57)【特許請求の範囲】
【請求項１】
コードの第一通過部及び第二通過部を有する第一部材と、
前記第一部材に前記第二通過部側を支点として起伏動可能に組み合わされると共にこの起伏動作の自由端側に前記第一通過部と前記第二通過部との間に位置して前記コードを通過させる第三通過部を備えた第二部材と、
前記第二部材を起立方向に付勢する付勢手段とを備えており、
前記第一部材は、側面部と底面部とを有し、これらの内方において前記第二部材を起伏動可能に支持すると共に、
前記第一部材の底面部を、前記支点側を屈曲又は湾曲内側とするように屈曲又は湾曲させており、
前記支点を、前記第一部材及び第二部材の一方に形成される係合部と、これらの他方に形成されて前記係合部に係合される被係合部とによって構成させて、前記第二通過部から引き出されるコードが前記支点よりも前記第二部材の自由端側に位置されるようにしてなる、コードロック。
【請求項２】
コードの第一通過部及び第二通過部を有する第一部材と、
前記第一部材に前記第二通過部側を支点として起伏動可能に組み合わされると共にこの起伏動作の自由端側に前記第一通過部と前記第二通過部との間に位置して前記コードを通過させる第三通過部を備えた第二部材と、
前記第二部材を起立方向に付勢する付勢手段とを備えており、
前記支点を、前記第一部材及び第二部材の一方に形成される係合部と、これらの他方に形成されて前記係合部に係合される被係合部とによって構成させて、前記第二通過部から引き出されるコードが前記支点よりも前記第二部材の自由端側に位置されるようにしてなると共に、前記係合部を係合爪により構成し、前記被係合部をこの係合爪が係合される係合孔により構成させてなる、コードロック。
【請求項３】
コードの第一通過部及び第二通過部を有する第一部材と、
前記第一部材に前記第二通過部側を支点として起伏動可能に組み合わされると共にこの起伏動作の自由端側に前記第一通過部と前記第二通過部との間に位置して前記コードを通過させる第三通過部を備えた第二部材と、
前記第二部材を起立方向に付勢する付勢手段とを備えており、
前記第一部材は、側面部と底面部とを有し、これらの内方において前記第二部材を起伏動可能に支持すると共に、
前記第一部材の底面部を、前記支点側を屈曲又は湾曲内側とするように屈曲又は湾曲させており、
前記第二通過部を、前記側面部と前記底面部とに跨がって形成させてなる、コードロック。
【請求項４】
コードの第一通過部及び第二通過部を有する第一部材と、
前記第一部材に前記第二通過部側を支点として起伏動可能に組み合わされると共にこの起伏動作の自由端側に前記第一通過部と前記第二通過部との間に位置して前記コードを通過させる第三通過部を備えた第二部材と、
前記第二部材を起立方向に付勢する付勢手段とを備えており、
前記支点を、前記第一部材及び第二部材の一方に形成される係合部と、これらの他方に形成されて前記係合部に係合される被係合部とによって構成させると共に、
前記第一部材は、側面部と底面部とを有し、これらの内方において前記第二部材を起伏動可能に支持すると共に、
前記第一部材の底面部を、前記支点側を屈曲又は湾曲内側とするように屈曲又は湾曲させており、
前記係合部及び前記被係合部の一方を前記第一部材の底面部側に備えさせてなる、コードロック。
【請求項５】
コードの第一通過部及び第二通過部を有する第一部材と、
前記第一部材に前記第二通過部側を支点として起伏動可能に組み合わされると共にこの起伏動作の自由端側に前記第一通過部と前記第二通過部との間に位置して前記コードを通過させる第三通過部を備えた第二部材と、
前記第二部材を起立方向に付勢する付勢手段とを備えており、
前記支点を、前記第一部材及び第二部材の一方に形成される係合部と、これらの他方に形成されて前記係合部に係合される被係合部とによって構成させると共に、
前記第一部材は、側面部と底面部とを有し、これらの内方において前記第二部材を起伏動可能に支持するようになっており、
前記係合部及び前記被係合部の一方を前記第一部材の底面部側に備えさせてなると共に、前記係合部を係合爪により構成し、前記被係合部をこの係合爪が係合される係合孔により構成させてなる、コードロック。
【請求項６】
前記第一通過部及び前記第二通過部の一方から差し込まれるコードをこれらの他方に案内するガイド壁を備えてなる、請求項１〜請求項５のいずれか１項に記載のコードロック。
【請求項７】
前記ガイド壁は、前記第一部材の内部に形成された第一ガイド壁と、前記第二部材の内部に形成されると共に前記第二部材を前記付勢手段の付勢に抗して伏倒させた状態において前記第一ガイド壁と協働してコードの挿通路の一部を形成する第二ガイド壁とからなる、請求項６に記載のコードロック。
【請求項８】
前記第一部材の底面部に、前記第二部材を前記付勢手段の付勢に抗して押し込み操作した状態において、前記第二部材の自由端側を前記第三通過部と前記底面部との間に段差を生じさせないように納める凹所を備えてなる、請求項１〜請求項７のいずれか１項に記載のコードロック。
【請求項９】
前記付勢手段を、前記第二部材の一部であって、前記第三通過部と前記支点との間に備えられる弾性変形可能部によって構成させると共に、
前記第一部材に、前記弾性変形可能部に当接して前記弾性変形可能部に弾性変形を生じさせる支持部を備えさせてなる、請求項１〜請求項５のいずれか１項に記載のコードロック。
【請求項１０】
前記付勢手段を、前記第二部材の一部であって、前記第三通過部と前記支点との間に備えられる弾性変形可能部によって構成させると共に、
前記第二部材に、前記第一部材に当接して前記弾性変形可能部に弾性変形を生じさせる支持部を備えさせてなる、請求項１〜請求項５のいずれか１項に記載のコードロック。
【請求項１１】
前記付勢手段を、前記第二部材の一部であって、前記第三通過部側から前記支点側に延び出すと共に、前記第二部材の基板部との間に前記コードの挿通路を形成させ、かつ、前記第一部材に当接される弾性変形可能部によって構成させてなる、請求項１〜請求項５のいずれか１項に記載のコードロック。
【発明の詳細な説明】
【技術分野】
【０００１】
この発明は、コードの任意の位置に留め付け可能であり、また、この留め付け状態を付勢に抗した押し込み操作により解くように構成されたコードロックの改良に関する。
【背景技術】
【０００２】
底面部と側面部とを備えた本体と、この本体の側面部に設けた枢支穴（軸穴）に枢支部（軸）を納めてこの枢支部を中心に本体に対し起伏動可能に組み合わされる押圧体と、押圧体を起立方向に付勢する付勢手段とを備えたコードロックとして特許文献１に示されるものがある。
【０００３】
かかる特許文献１のコードロックにあっては、前記本体と前記押圧体とが本体の側面部に設けた枢支穴に押圧体の側部に設けた枢支部を納めて組み合わされる関係上、かかる側面部及び側部に一定の厚さを必要とするものであった。
【０００４】
また、かかる特許文献１のコードロックにあっては、コードは前記本体における押圧体の自由端側に位置される幅側の側部に設けた貫通穴を通じて筒状をなす押圧体内に通され、前記枢支部の後方において前記貫通穴に対向する側から引き出される態様とならざるを得ないものであった。
【先行技術文献】
【特許文献】
【０００５】
【特許文献１】特許第５３３６２２２号公報
【発明の概要】
【発明が解決しようとする課題】
【０００６】
この発明が解決しようとする主たる問題点は、この種のコードロックを構成する二つの部材を、コードロックの厚さなどにできるだけ影響を与えない態様で、しかも、操作のし易さと、形状自由度を確保しつつ、組み合わせ可能とする点にある。
【課題を解決するための手段】
【０００７】
前記課題を達成するために、この発明にあっては、第一の観点から、コードロックを、コードの第一通過部及び第二通過部を有する第一部材と、
前記第一部材に前記第二通過部側を支点として起伏動可能に組み合わされると共にこの起伏動作の自由端側に前記第一通過部と前記第二通過部との間に位置して前記コードを通過させる第三通過部を備えた第二部材と、
前記第二部材を起立方向に付勢する付勢手段とを備えており、
前記支点を、前記第一部材及び第二部材の一方に形成される係合部と、これらの他方に形成されて前記係合部に係合される被係合部とによって構成させて、前記第二通過部から引き出されるコードが前記支点よりも前記第二部材の自由端側に位置されるようにしてなる、ものとした。
【０００８】
また、前記課題を達成するために、この発明にあっては、第二の観点から、コードロックを、コードの第一通過部及び第二通過部を有する第一部材と、
前記第一部材に前記第二通過部側を支点として起伏動可能に組み合わされると共にこの起伏動作の自由端側に前記第一通過部と前記第二通過部との間に位置して前記コードを通過させる第三通過部を備えた第二部材と、
前記第二部材を起立方向に付勢する付勢手段とを備えており、
前記第一部材は、側面部と底面部とを有し、これらの内方において前記第二部材を起伏動可能に支持すると共に、
前記第二通過部を、前記側面部と前記底面部とに跨がって形成させてなる、ものとした。
【０００９】
また、前記課題を達成するために、この発明にあっては、第三の観点から、コードロックを、コードの第一通過部及び第二通過部を有する第一部材と、
前記第一部材に前記第二通過部側を支点として起伏動可能に組み合わされると共にこの起伏動作の自由端側に前記第一通過部と前記第二通過部との間に位置して前記コードを通過させる第三通過部を備えた第二部材と、
前記第二部材を起立方向に付勢する付勢手段とを備えており、
前記支点を、前記第一部材及び第二部材の一方に形成される係合部と、これらの他方に形成されて前記係合部に係合される被係合部とによって構成させると共に、
前記第一部材は、側面部と底面部とを有し、これらの内方において前記第二部材を起伏動可能に支持するようになっており、
前記係合部及び前記被係合部の一方を前記第一部材の底面部側に備えさせてなる、ものとした。
【００１０】
コードロックに対しコードは、付勢手段の付勢に抗して第二部材を押し込んで第一通過部と第三通過部とをコードを通過可能に整合させた状態において、第一通過部より差し込み第三通過部を通じて第二通過部から引き出すように通すことが可能とされる。あるいはまた、コードロックに対しコードは、付勢手段の付勢に抗して第二部材を押し込んで第一通過部と第三通過部とをコードを通過可能に整合させた状態において、第二通過部より差し込み第三通過部を通じて第一通過部から引き出すように通すことが可能とされる。このようにコードをコードロックに通した後、第二部材の前記押し込みを止めると、前記付勢手段の付勢により第二部材は起立方向に回動されることから、第一通過部と第三通過部とが整合しない状態が作り出され、これによりコードにコードロックが留め付けられる。
【００１１】
前記支点を軸と軸孔とから構成させた場合、軸孔を設けるために典型的には第一部材の側面部に一定の厚さが必要となる。また、前記支点をコードが通過する構成の場合、コードロックの前記支点側の厚さはコードの太さ以下にはできない。これに対し、前記第一の観点にかかるコードロックにあっては、かかる支点を前記係合部と被係合部とから構成すると共に、前記第二通過部から引き出されるコードが前記支点よりも前記第二部材の自由端側に位置されるようにしてなることから、コードロックの厚さなどに影響しないように前記支点を形成することができる。
【００１２】
第二の観点にかかるコードロックにあっては、特に、前記第二通過部を、前記側面部と前記底面部とに跨がって形成させていることから、前記第一部材の厚さを増大させることなく前記第二通過部の面積を最大化し得ると共に、前記第二通過部からより自由な方向にコードが引き出されるようにしてコードにコードロックを留め付け可能となる。
【００１３】
また、前記第一部材の底面部を、前記支点側を屈曲又は湾曲内側とするように屈曲又は湾曲させておけば、第二通過部から引き出されるコードが物品の一部を絞るように機能する場合、第二部材の自由端側に位置される第一部材の底面部と物品の外面との間に隙間が形成され、支点側において第一部材の底面部が物品の外面に密着されるように、かかる物品にコードロックを備えさせることができ、コードの留め付けを解く第二部材の押し込み操作が容易となる。
【００１４】
また、前記第一通過部及び前記第二通過部の一方から差し込まれるコードをこれらの他方に案内するガイド壁を備えさせておけば、前記のようにコードロックに通されるコードが、第一通過部と第二通過部との間では真っ直ぐであるが第二通過部において屈曲又は湾曲されて側方に引き出されるようになっている場合に、第二通過部側から差し込んだコードを確実に第一通過部に導くことが可能となる。
【００１５】
この場合、前記ガイド壁は、前記第一部材の内部に形成された第一ガイド壁と、前記第二部材の内部に形成されると共に前記第二部材を前記付勢手段の付勢に抗して伏倒させた状態において前記第一ガイド壁と協働してコードの挿通路の一部を形成する第二ガイド壁とから構成させておくことが、好ましい態様の一つとされる。
【００１６】
また、前記第一部材の底面部に、前記第二部材を前記付勢手段の付勢に抗して押し込み操作した状態において、前記第二部材の自由端側を前記第三通過部と前記底面部との間に段差を生じさせないように納める凹所を備えさせておくことが好ましい態様の一つとされる。このようにした場合、特に、第二通過部側から差し込んだコードをスムースに第一通過部に導くことが可能となる。
【００１７】
また、前記付勢手段を、前記第二部材の一部であって、前記第三通過部と前記支点との間に備えられる弾性変形可能部によって構成させると共に、
前記第一部材に、前記弾性変形可能部に当接して前記弾性変形可能部に弾性変形を生じさせる支持部を備えさせておくことが好ましい態様の一つとされる。
【００１８】
また、前記付勢手段を、前記第二部材の一部であって、前記第三通過部と前記支点との間に備えられる弾性変形可能部によって構成させると共に、
前記第二部材に、前記第一部材に当接して前記弾性変形可能部に弾性変形を生じさせる支持部を備えさせておくことが好ましい態様の一つとされる。
【００１９】
また、前記付勢手段を、前記第二部材の一部であって、前記第三通過部側から前記支点側に延び出すと共に、前記第二部材の基板部との間に前記コードの挿通路を形成させ、かつ、前記第一部材に当接される弾性変形可能部によって構成させておくことが好ましい態様の一つとされる。
【発明の効果】
【００２０】
この発明によれば、この種のコードロックを構成する二つの部材をコードロックの厚さなどにできるだけ影響を与えない態様で、しかも、操作のし易さと、形状自由度を確保しつつ、組み合わせることができ、この結果、この発明は、コードロックの利用対象に最適の形状を持つようにコードロックを設計し易くするものである。
【図面の簡単な説明】
【００２１】
【図１】図１は、この発明の一実施の形態にかかるコードロック（第一例）の斜視図である。
【図２】図２は、前記第一例の斜視図であり、図１の下側から第一例を見て示している。
【図３】図３は、前記第一例の正面図である。
【図４】図４は、前記第一例の側面図である。
【図５】図５は、前記第一例の側面図であり、図４の左側から第一例を見て示している。
【図６】図６は、前記第一例の側面図であり、図４の右側から第一例を見て示している。
【図７】図７は、図５におけるＡ−Ａ線位置での断面図であり、第二部材を押し込まない状態を示している。
【図８】図８は、図５におけるＡ−Ａ線位置での断面図であり、第二部材を押し込んだ状態を示している。
【図９】図９は、図５におけるＢ−Ｂ線位置での断面図であり、第二部材を押し込まない状態を示している。
【図１０】図８は、図５におけるＢ−Ｂ線位置での断面図であり、第二部材を押し込んだ状態を示している。
【図１１】図１１は、手袋に第一例を利用した状態を示した構成図である。
【図１２】図１２は、手袋に第一例を利用した状態を示した要部拡大正面図である。
【図１３】図１３は、第一例を構成する第一部材の斜視図である。
【図１４】図１４は、第一例を構成する第一部材の斜視図であり、図１３の下側から第一部材を見て示している。
【図１５】図１５は、第一例を構成する第一部材の正面図である。
【図１６】図１６は、第一例を構成する第二部材の斜視図である。
【図１７】図１７は、第一例を構成する第二部材の斜視図であり、図１６の下側から第二部材を見て示している。
【図１８】図１８は、第一例を構成する第二部材の背面図である。
【図１９】図１９は、この発明の一実施の形態にかかるコードロック（第二例）の側面図である。
【図２０】図２０は、この発明の一実施の形態にかかるコードロック（第三例）の正面図である。
【図２１】図２１は、この発明の一実施の形態にかかるコードロック（第三例）の側面図である。
【図２２】図２２は、この発明の一実施の形態にかかるコードロック（第四例）の斜視図である。
【図２３】図２３は、前記第四例の斜視図であり、図２２の下側から第四例を見て示している。
【図２４】図２４は、この発明の一実施の形態にかかるコードロック（第五例）の斜視図である。
【図２５】図２５は、前記第五例の正面図である。
【図２６】図２６は、図２５におけるＣ−Ｃ線位置での断面図であり、第二部材を押し込まない状態を示している。
【図２７】図２７は、図２５におけるＣ−Ｃ線位置での断面図であり、第二部材を押し込んだ状態を示している。
【図２８】図２８は、前記第五例の側面図である。
【図２９】図２９は、前記第五例の背面図である。
【図３０】図３０は、前記第五例の側面図であり、図２５の左側から第五例を見て示している。
【図３１】図３１は、前記第五例の側面図であり、図２５の右側から第五例を見て示している。
【図３２】図３２は、前記第五例の分解斜視図である。
【図３３】図３３は、前記第五例を構成する第一部材の正面図である。
【図３４】図３４は、前記第五例を構成する第一部材の背面図である。
【図３５】図３５は、前記第五例を構成する第二部材の正面図である。
【図３６】図３６は、前記第五例を構成する第二部材の背面図である。
【図３７】図３７は、この発明の一実施の形態にかかるコードロック（第六例）を構成する第二部材の斜視図である。
【発明を実施するための形態】
【００２２】
以下、図１〜図３７に基づいて、この発明の典型的な実施の形態について説明する。この実施の形態にかかるコードロックは、コードＲの任意の位置に留め付け可能であり、また、この留め付け状態を第二部材２を付勢に抗して押し込み操作することで解くように構成されたものである。
【００２３】
かかるコードＲは、このようにコードロックの留め付けが可能なものであれば、その形状（丸紐、平紐など）、材質や構造（編み紐、ゴム紐、合成樹脂製の紐など）は問われない。かかるコードロックは、典型的には、こうしたコードＲにより絞られたり、引き締められたりする箇所を備えた各種の物品におけるこのコードＲに留め付けられて、その留め付け位置を変えることでこのような箇所を絞ったり、緩めたりするように用いられる。
【００２４】
かかるコードロックは、第一部材１と、第二部材２と、付勢手段３とを備えてなる。
【００２５】
第一部材１は、コードＲの第一通過部４及び第二通過部５を有する。図示の例では、第一部材１は、側面部６と底面部７とを有し、これらの内方において前記第二部材２を起伏動可能に支持するようになっている。
【００２６】
第二部材２は、前記第一部材１に前記第二通過部５側を支点１９として起伏動可能に組み合わされると共にこの起伏動作の自由端２０側に前記第一通過部４と前記第二通過部５との間に位置して前記コードＲを通過させる第三通過部２１を備えている。
【００２７】
前記支点１９は、前記第一部材１及び第二部材２の一方に形成される係合部と、これらの他方に形成されて前記係合部に係合される被係合部とによって構成されている。
【００２８】
付勢手段３は、前記第二部材２を起立方向に付勢する。図１〜図１８に示される第一例、図１９に示される第二例、図２０及び図２１に示される第三例、図２２及び図２３に示される第四例にあっては、かかる付勢手段３は、圧縮コイルバネ２８によって構成されている。一方、図２４〜図３６に示される第五例及び図３７に示される第六例にあっては、かかる付勢手段３は、第二部材２の一部によって構成されている。
【００２９】
コードロックに対しコードＲは、付勢手段３の付勢に抗して第二部材２を押し込んで第一通過部４と第三通過部２１とをコードＲを通過可能に整合させた状態において、第一通過部４より差し込み第三通過部２１を通じて第二通過部５から引き出すように通すことが可能とされる。あるいはまた、コードロックに対しコードＲは、付勢手段３の付勢に抗して第二部材２を押し込んで第一通過部４と第三通過部２１とをコードＲを通過可能に整合させた状態において、第二通過部５より差し込み第三通過部２１を通じて第一通過部４から引き出すように通すことが可能とされる。このようにコードＲをコードロックに通した後、第二部材２の前記押し込みを止めると、前記付勢手段３の付勢により第二部材２は起立方向に回動されることから、第一通過部４と第三通過部２１とが整合しない状態が作り出され、これによりコードＲにコードロックが留め付けられる。なお、前記第二部材２の押し込みには、かかる第二部材２が相対的に押し込まれる場合も含まれる。
【００３０】
前記支点１９を軸と軸孔とから構成させた場合、軸孔を設けるために典型的には第一部材１の側面部６に一定の厚さが必要となる。また、前記支点１９をコードＲが通過する構成とした場合、コードロックの前記支点１９側の厚さはコードＲの太さ以下にはできない。これに対し、この実施の形態にかかるコードロックにあっては、かかる支点１９を前記係合部と被係合部とから構成すると共に、前記第二通過部５から引き出されるコードＲが前記支点１９よりも前記第二部材２の自由端２０側に位置されるようにしてなることから、コードロックの厚さなどに影響しないように前記支点１９を形成することができる。
【００３１】
特に、この実施の形態にあっては、前記係合部及び前記被係合部の一方を前記第一部材１の底面部７側に備えさせており、第一部材１の厚さを可及的に小さくできるようになっている。
【００３２】
より具体的には、前記第一例〜第四例にあっては、前記係合部を係合爪２２により構成し、前記被係合部をこの係合爪２２が係合される係合孔８により構成させている。
【００３３】
前記第二通過部５の少なくとも一部は、前記支点１９より前記第二部材２の自由端２０側に位置されるようになっている。これにより、この実施の形態にかかるコードロックにあっては、前記のようにコードロックに通されるコードＲを、第一通過部４と第二通過部５との間では真っ直ぐであるが第二通過部５において屈曲又は湾曲されて前記支点１９より手前（前記自由端２０側）において側方に引き出されるようにした状態で、かかるコードＲに留め付けることが可能とされる（図１２）。
【００３４】
また、図１〜図１８に示される第一例、図１９に示される第二例、図２０及び図２１に示される第三例にあっては、前記第二通過部５は、前記側面部６と前記底面部７とに跨がって形成されている。これにより、この第一例〜第三例においては、さらに、前記第一部材１の厚さを増大させることなく前記第二通過部５の面積を最大化し得ると共に、第二通過部５からより自由な方向にコードＲが引き出されるようにしてコードＲにコードロックを留め付け可能となっている。
【００３５】
また、前記第一例〜第三例にかかるコードロックは、前記第一部材１の底面部７を、前記支点１９側を屈曲又は湾曲内側とするように屈曲又は湾曲させている。このようにした場合、第二通過部５から引き出されるコードＲが物品の一部を絞るように機能する場合、第二部材２の自由端２０側に位置される第一部材１の底面部７と物品の外面との間に隙間Ｓが形成され、支点１９側において第一部材１の底面部７が物品の外面に密着されるように、かかる物品にコードロックを備えさせることができ、コードＲの留め付けを解く第二部材２の押し込み操作が容易となる。例えば、図１１に示されるように、手袋Ｇの開口Ｇａを絞るコードＲにコードロックを、第二部材２の自由端２０側に位置される第一部材１の底面部７と手袋Ｇの開口Ｇａ側の外面との間に隙間Ｓを形成させた状態で留め付けることが可能となる。
【００３６】
また、前記第一例〜第三例にかかるコードロックは、前記第一通過部４及び前記第二通過部５の一方から差し込まれるコードＲをこれらの他方に案内するガイド壁を備えている。このようにした場合、前記のようにコードロックに通されるコードＲが、第一通過部４と第二通過部５との間では真っ直ぐであるが第二通過部５において屈曲又は湾曲されて側方に引き出されるようになっている場合に、第二通過部５側から差し込んだコードＲを確実に第一通過部４に導くことが可能となる。
【００３７】
より具体的には、前記第一例〜第三例にかかるコードロックにあっては、前記ガイド壁は、前記第一部材１の内部に形成された第一ガイド壁９と、前記第二部材２の内部に形成されると共に前記第二部材２を前記付勢手段３の付勢に抗して伏倒させた状態において前記第一ガイド壁９と協働してコードＲの挿通路の一部を形成する第二ガイド壁２３とから構成されている。
【００３８】
また、前記第一例〜第三例にかかるコードロックは、前記第一部材１の底面部７に、前記第二部材２を前記付勢手段３の付勢に抗して押し込み操作した状態において、前記第二部材２の自由端２０側を前記第三通過部２１と前記底面部７との間に段差を生じさせないように納める凹所７ａを備えている。このようにした場合、特に、第二通過部５側から差し込んだコードＲをスムースに第一通過部４に導くことが可能となる。
【００３９】
（第一例）
図１〜図１８に示される第一例のコードロックは、長さと幅とを備えた態様となっている。この第一例にあっては、コードロックの幅方向中程の位置を通る仮想の中心線Ｌ１（図１２、図１５）を挟んだ左側と右側とにおいてそれぞれ、コードＲが通過するようになっている。
【００４０】
具体的には、図示の例では、手袋Ｇの開口Ｇａを絞るコードＲの一方の端末側がコードロックの前記中心線Ｌ１を挟んだ左側の第二通過部５を通って左側の第一通過部４から引き出され、手袋Ｇの開口Ｇａを絞るコードＲの他方の端末側がコードロックの前記中心線Ｌ１を挟んだ右側の第二通過部５を通って右側の第一通過部４から引き出されるようになっている（図１２）。
【００４１】
第一部材１は、板状をなす底面部７と、かかる底面部７の長さ側の縁部から立ち上がる壁状をなすと共にコードロックの長さ方向に沿った一対の長さ側の側面部６と、前記底面部７の幅側の縁部から立ち上がる壁状をなすと共にコードロックの幅方向に沿った一対の幅側の側面部６とを備え、底面部７と対向する側を開放させている。
【００４２】
底面部７は、コードロックの長さ方向において、前記開放側を湾曲内側とするように湾曲している。
【００４３】
第一部材１の一対の幅側の側面部６の一方（以下、前側側面部６ａと称する。）に、実質的に四角形の穴状をなす第一通過部４が形成されている。
【００４４】
第二通過部５は、前記中心線Ｌ１に対しコードロックの長さ方向略中程の位置において直交する仮想の第一幅側線分Ｌ２と（図１５参照）一対の幅側の側面部６の他方（以下、後側側面部６ｂと称する。）との間に、前記中心線Ｌ１を挟んだ両側においてそれぞれ、形成されている。第二通過部５は、後述の第一ガイド壁９と長さ側側面部６との間において底面部７を貫通する実質的に四角形の第一穴部５ａと、側面部６を山状に割り欠くと共にその基部側において前記第一穴部５ａに連通した第二穴部５ｂとから構成され、底面部７と側面部６とに跨がって形成されており、コードＲは第二通過部５を通じて第一部材１の底面部７の外方（図１におけるａ方向）に向けて引き出し可能な他、側面部６の側方（図１におけるｂ方向）に向けても引き出し可能となっている。
【００４５】
前記後側側面部６ｂの外側には、帯状体Ｔの掛け回しバー１０が、後側側面部６ｂとの間に帯状体Ｔの挿通隙間１１を形成しさせた状態で配されている。掛け回しバー１０は、後側側面部６ｂよりも後方に突き出す一対の長さ側の側面部６、６の延長部６ｃ、６ｃ間に架設されている。
【００４６】
これにより、この第一例にあっては、前記挿通隙間１１を通じて掛け回しバー１０に掛け回した帯状体Ｔを利用してコードＲの備えられる物品に対し前記コードＲを挿通しない状態でも前記物品とコードロックとが分離しないようにコードロックを取り付けることができるようになっている。
【００４７】
また、前記中心線Ｌ１と左側の長さ側の側面部６との間には、前記中心線Ｌ１と平行をなす仮想の左長さ側線分Ｌ３（図１５参照）に沿った第一ガイド壁９が形成されている。また、前記中心線Ｌ１と右側の長さ側の側面部６との間には、前記中心線Ｌ１と平行をなす仮想の右長さ側線分Ｌ４（図１５参照）に沿った第一ガイド壁９が形成されている。これらの第一ガイド壁９は、前記後側側面部６ｂと前記第一幅側線分Ｌ２との間に亘って形成されている。
【００４８】
また、左右の第一ガイド壁９、９の間には、後側側面部６ｂの内面に沿うように、コードロックの幅方向に沿ったスリット１２が形成されている。また、後側側面部６ｂにおけるコードロックの幅方向中程の位置に、底面部７の湾曲内側に架橋部１３を形成するように後側側面部６ｂを割り欠く割り欠き部１４が形成されており、前記スリット１２とこの割り欠き部１４とが連通するようになっている。図示の例では、第二部材２の係合爪２２が前記割り欠き部１４内に入り込んで前記架橋部１３に係合されるようになっている。すなわち、図示の例では、前記割り欠き部１４が前記被係合部として機能する係合孔８となっている。
【００４９】
前記底面部７は、前記第一幅側線分Ｌ２と前側側面部６ａとの間を二分し、かつ、第一幅側線分Ｌ２に平行な仮想の第二幅側線分Ｌ５（図１５参照）と前側側面部６ａとの間の内面を、この第二幅側線分Ｌ５と第二通過部５との間の内面よりも低くしている。これにより、第一部材１は、前側側面部６ａ側に前記凹所７ａを備えている。
【００５０】
前記底面部７の内面であって、第二幅側線分Ｌ５と前側側面部６ａの間で、かつ、前記中心線Ｌ１上には、前記付勢手段３としての圧縮コイルバネ２８の一端内に納まる突起７ｂが形成されている。
【００５１】
第二部材２は、第一部材１の前側側面部６ａと、後側側面部６ｂと、左右の長さ側側面部６によって囲繞された第一部材１の開放箇所の内郭形状に整合した形状を備えた基板部２ａを有している。第二部材２も幅と長さを備えている。また、第二部材２の基板部２ａは、第一部材１の基板部２ａの湾曲に倣った湾曲を備えている。
【００５２】
第二部材２の自由端２０側には、第一部材１の底面部７側に向けて突き出す膨出部２４が形成されている。この膨出部２４は第二部材２の幅方向に亘って形成されている。
【００５３】
前記中心線Ｌ１（図１２、図１８参照）を挟んだ左右においてそれぞれ、第三通過部２１が形成されている。かかる第三通過部２１は、前記中心線Ｌ１に沿う向きに続くトンネル状を呈しており、膨出部２４を貫通している。
【００５４】
左右の第三通過部２１の間には、膨出部２４に前記付勢手段３としての圧縮コイルバネ２８の納まる有底穴２５が形成されており、かかるバネ２８の他端はこの有底穴２５の底に当接されるようになっている。
【００５５】
また、第二部材２の基板部２ａの内面には、前記中心線Ｌ１を挟んだ左右においてそれぞれ、前記第一部材１の第一ガイド壁９と協働してガイド壁を構成する第二ガイド壁２３が形成されている。第二ガイド壁２３は、第三通過部２１の前記中心線Ｌ１側の穴壁に連続するように膨出部２４と第二部材２の長さ方向中程の位置との間に亘って形成されている。
【００５６】
第二部材２の支点１９側には、前記係合部となる係合爪２２が形成されている。係合爪２２は、前記中心線Ｌ１上において前記基板部２ａの内面から突き出す弾性脚２２ａの先端に形成された前記膨出部２４と反対の側に突き出す突起２２ｂによって構成されている。
【００５７】
また、前記膨出部２４の突き出し端であって、前記支点１９側と反対の側には、第一部材１の内方において、前記第一通過部４に引っかかる抜け止め突起２７が形成されている。
【００５８】
前記第一部材１と第二部材２とは、前記有底穴２５と突起７ｂとを利用して第一部材１と第二部材２との間にバネ２８が介在されるようにしながら、第一部材１内に第二部材２を押し込むことによりワンタッチで組み合わされるようになっている。すなわち、かかる押し込みにより前記架橋部１３に押しつけられる係合爪２２によって架橋部１３及び弾性脚２２ａは一旦弾性変形を生じ、架橋部１３の係合爪２２の乗り越えが許容され、これにより係合爪２２が前記割り欠き部１４に入り込むと弾性復帰により架橋部１３に係合爪２２が係合し、この係合箇所を支点１９として第一部材１に対し第二部材２が起伏動可能に組み合わされるようになっている。
【００５９】
第二部材２は、コードＲを通さない状態においては、付勢手段３の付勢により、抜け止め突起２７を第一通過部４の側面部６の突き出し端側に位置される穴壁に引っかけた起立位置に位置づけられる。この状態では、第一通過部４と第三通過部２１とは整合せずコードロックにコードＲは通せない（図９）。第二部材２の自由端２０側を前記付勢に抗して押し込むようにこの自由端２０側においてコードロックを摘むと、コードロックの内部では前記凹所７ａに前記膨出部２４が入り込み、第一通過部４と第三通過部２１とが底面部７と第三通過部２１との間に段差を生じさせないように整合し、また、第一ガイド壁９と第二ガイド壁２３とが若干の隙間を開けて連なり、第一通過部４と第二通過部５との間にチューブ状のコードＲの挿通路が形成される（図８、図１０）。これにより、第一通過部４から第二通過部５に向けてコードＲをスムースに通すことができると共に、これとは逆に、第二通過部５から第一通過部４に向けてもコードＲをスムースに通すことができる。コードＲを通した後第二部材２の押し込みを止めると前記付勢により前記支点１９を中心に第二部材２は自由端２０側を第一部材１の底面部７から離れさせる向きに回動し、これにより通されたコードＲに対し第一通過部４の開口縁と第三通過部２１の開口縁とがそれぞれ食いつきコードロックはコードＲに留め付けられる。
【００６０】
（第二例）
図１９に示される第二例のコードロックは、第一部材１の底面部７が前記支点１９の後方に頂部１５を形成するように屈曲されている。この第二例のその余の構成は、第一例と実質的に同一であるので、第二例を示す図面に第一例で用いた符号と同一の符号を付してその説明は省略する。
【００６１】
（第三例）
図２０及び図２１に示される第三例のコードロックは、第一部材１は、後側側面部６ｂの外側に、フック部１６を備えている。かかるフック部１６は、断面Ｕ字状の帯状湾曲片の一端を後側側面部６ｂの外面に一体に連接させてなる。フック部１６の開放端１７は、第一部材１の開放側に位置されるようになっている。この第三例のその余の構成は、第一例と実質的に同一であるので、第三例を示す図面に第一例で用いた符号と同一の符号を付してその説明は省略する。
【００６２】
（第四例）
図２２及び図２３に示される第四例のコードロックは、第一部材１は、左右の長さ側側面部６の外側に、底面部７の外面に一面を連続させたひれ状部１８を備えている。この第四例は、前記ひれ状部１８を利用して、コードロックを被服や袋物などを構成する生地に縫着できるようになっている。この第四例では、第二通過部５は底面部７にのみ形成されている。また、係合部と被係合部は左右二箇所に設けられている。この第四例のその余の構成は、第一例と実質的に同一であるので、第四例を示す図面に第一例で用いた符号と同一の符号を付してその説明は省略する。
【００６３】
（第五例）
図２４〜図３６に示される第五例のコードロックは、前記付勢手段３を、前記第二部材２の一部であって、前記第三通過部５と前記支点１９との間に備えられる弾性変形可能部ｆによって構成させると共に、前記第一部材１に、前記弾性変形可能部ｆに当接して前記弾性変形可能部ｆに弾性変形を生じさせる支持部２９を備えさせてなる。
【００６４】
図示の例では、第五例のコードロックは、長さと幅とを備えた態様となっている。この第五例にあっては、コードロックの幅方向中程の位置を通る仮想の中心線ｚ（図２４、図２９）に沿うように、コードロック内を一本のコードＲ（第五例を記載した図面においてはコードＲの記載は省略する。）が通過するようになっている。
【００６５】
第五例のコードロックにあっては、第一部材１は、長さと幅とを持った底面部７と、前記仮想の中心線ｚを挟んだ左右に位置される長さ側の側面部６ｄ、６ｄと、二箇所の幅側の側面部６ｅ、６ｅとを有し、底面部７と反対の側を開放させた態様となっている。図示の例では、図２６において左側に位置される幅側の側面部６ｅの立ち上がり寸法が、右側に位置される幅側の側面部６ｅの立ち上がり寸法よりも大きくなっており、長さ側の側面部６ｄの底面部７からの突き出し寸法は図２６における左側から右側に向かうに連れて漸減した態様となっている。図示の例では、第一部材１はさらに、図２６における左側と右側とにそれぞれ、一面を底面部７の内面７ｃと同面上に位置させ、かつ、他面を底面部７の外面７ｂと同面上に位置させるようにして、幅側の側面部６ｅの基部から外方に突き出す舌片部３０を備えている。この例にあっては、かかる舌片部３０を利用してコードロックの利用対象にコードロックを縫着や溶着などにより止着できるようになっている。第一通過部４は、図２６の左側に位置される幅側の側面部６ｅを内外に貫通するように形成されている。なお、図示の例では、第一通過部４の直下位置において底面部７に四角形の通し孔３１が形成されている。一方、第二通過部５は、図２６の右側において前記底面部７における前記仮想の中心線ｚ上の位置を貫通するように形成されている（図２９）。第二通過部５と図２６における右側に位置される幅側の側面部６ｅとの間には、第二通過部５よりも大きい通し孔３２が形成されている（図２９）。この通し孔３２と第二通過部５とは第二通過部５側に近づくに連れて孔幅を漸減させる連通孔３３によって連通されている。また、前記通し孔３２の直上には幅側の側面部６ｅの内面から内方に突き出す突出部３４が形成されており、この例にあってはかかる突出部３４が前記被係合部として機能するようになっている。また、この例にあっては、前記第一部材１の長さ方向略中程の位置と第二通過部５との間に、前記支持部２９が形成されている。この例では、支持部２９は、前記仮想の中心線ｚを挟んだ左右にそれぞれ設けられている。左右の支持部２９、２９はそれぞれ、前記底面部７に下端を一体化させると共に長さ側の側面部６ｄの内面に側部の一部を一体化させた柱状を呈しており、左右の支持部２９、２９の間にはコードＲが通過する間隔が形成されている。
【００６６】
一方、第五例のコードロックにあっては、第二部材２は、長さと幅とを持った基板部３５と、第三通過部２１と、内側板部３６と、前記係合部とを備えている。基板部３５は、前記第一部材１の四つの側面部６ｄ…６ｅにより囲繞された空間内に相補的に納まる外郭形状を備えている。基板部３５の一面３５ａはコードロックの外面を構成するようになっている。内側板部３６は、基板部３５より短く、前記第一部材１内の空間に納まる大きさとなっている。内側板部３６と基板部３５とは第二部材２の自由端２０側において連接部３７を介して、内側板部３６と基板部３５との間にコードＲを通過させる間隔を開けるようにして、一体化されている。第三通過部２１は、前記連接部３７を第二部材２の長さ方向に沿う向きに貫通するように形成されている。係合部は、基板部３５の第二部材２の支点１９側において、基板部３５の一面側に段差３８ａを形成するようにして突き出す舌片３８によって構成されている。
【００６７】
第二部材２の自由端２０となる基板部３５の自由端３５ｂから前記段差３８ａまでの距離は、第一部材１の二箇所の幅側の側面部６ｅ、６ｅ間の距離と実質的に等しいが、前記自由端２０と前記舌片３８の先端との間の距離はこれより大きくなっている。図示の例では、第一部材１と第二部材２とは、前記被係合部となる突出部３４の下方に前記係合部となる舌片３８を納めることで、この突出部３４と舌片３８との接し合う箇所を前記支点１９として組み合わされるようになっている。また、この組み合わせ状態において、前記内側板部３６の突き出し端３６ａ側は第一通過部４と支持部２９との間において第一部材１の底面部７に当たるようになっている。図示の例では、第二部材の自由端２０であって、前記第三連通部５の入り口の下方、より具体的には、前記第三通過部２１の入り口であって、連接部３７と内側板部３６との連接箇所側に、爪部３９が形成されている。そして、第一部材１と第二部材２との前記組み合わせ状態は、前記爪部３９を第一通過部４における前記幅側の側面部６ｅの突き出し端側に位置される内面に引っかけることで維持されるようになっている（図２６）。具体的には、前記被係合部となる突出部３４の下方に前記係合部となる舌片３８を納めた状態から、第二部材２の自由端２０側を第一部材１の前記空間内に押し込むようにすると、前記爪部３９が前記幅側の側面部６ｅの突き出し端に突き当たり主として第一部材１側に弾性変形を生じさせて、この爪部３９を前記第一通過部４に入り込ませる前記押し込みが許容され、この後の弾性復帰により前記爪部３９が前記第一通過部４の内面に引っかかるようになっている。そして、前記のように組み合わせた状態において、前記内側板部３６は、前記基板部３５との間の距離を狭める向きに弾性変形を生じるようになっている（図２６）。この状態において、前記第一通過部４と前記第三通過部２１とは整合しないようになっている（図２６）。前記第二部材２の自由端２０を押し込み操作すると、前記基板部３５における前記支持部２９よりも自由端２０側に位置される箇所は前記支持部２９を変形中心とするように弾性変形され、前記第一通過部４と前記第三通過部２１とを整合させる状態が作り出される。この整合状態において、第一通過部４、第二通過部５及び第三通過部２１を通じたコードロックへのコードＲの挿通が可能とされる。コードＲを挿通した後、第二部材２の押し込み操作を止めると、前記基板部３５及び内側板部３６が弾性復帰され、第一通過部４と第三通過部２１とを不整合とする向きに第二部材２が移動されることから、かかる弾性復帰の付勢力によりコードロックはコードＲに留め付けられる。
【００６８】
すなわち、この第五例のコードロックにあっては、前記第一〜第四例のコードロックのように別体の付勢手段３を必要としない。この第五例のコードロックにあっては、前記付勢手段３を、前記第二部材２の一部であって、前記第三通過部２１側から前記支点１９側に延び出すと共に、前記第二部材２の基板部３５との間に前記コードＲの挿通路を形成させ、かつ、前記第一部材１に当接される弾性変形可能部ｆとしての前記内側板部３６と、前記基板部３５とから構成させている。
【００６９】
なお、前記付勢手段３を前記内側板部３６のみから構成し、前記基板部３５は弾性変形可能部ｆを備えないようにすることもでき、この場合には前記支持部２９は不要となる。
【００７０】
（第六例）
図３７に示される第六例のコードロックは、前記付勢手段３を、前記第二部材２の一部であって、前記第三通過部２１と前記支点１９との間に備えられる弾性変形可能部ｆによって構成させると共に、前記第二部材２に、前記第一部材１に当接して前記弾性変形可能部ｆに弾性変形を生じさせる支持部４０を備えさせてなる。図示の例では、第二部材２の基板部３５における第一部材１の底面部７に向き合う他面３５ｃであって、前記第三通過部２１と前記支点１９との間で、かつ、内側板部３６よりも支点１９側に、前記支持部４０が形成されている。かかる支持部４０は、前記仮想の中心線ｚを挟んだ左右にそれぞれ設けられている。左右の支持部４０、４０はそれぞれ、前記基板部３５の内面に上端を一体化させた柱状を呈しており、左右の支持部４０、４０の間にはコードが通過する間隔が形成されている。
【００７１】
この第六例のその余の構成は、第一部材１を含め前記第五例と実質的に同一であるので、第五例を示す図面に第一例で用いた符号と同一の符号を図３７に付してその説明は省略する。
【００７２】
以上に説明した各例のコードロックにおける弾性変形特性を備えるべき部分へのこの特性の付与は、前記第一部材１及び第二部材２をプラスチック成形品とすることで、容易に確保することができる。
【００７３】
なお、当然のことながら、本発明は以上に説明した実施形態に限定されるものではなく、本発明の目的を達成し得るすべての実施形態を含むものである。
【符号の説明】
【００７４】
Ｒ  コード
１  第一部材
２  第二部材
３  付勢手段
４  第一通過部
５  第二通過部
１９  支点
２０  自由端
２１  第三通過部
【図１】
0006436897.tif 000002
【図２】
0006436897.tif 000003
【図３】
0006436897.tif 000004
【図４】
0006436897.tif 000005
【図５】
0006436897.tif 000006
【図６】
0006436897.tif 000007
【図７】
0006436897.tif 000008
【図８】
0006436897.tif 000009
【図９】
0006436897.tif 000010
【図１０】
0006436897.tif 000011
【図１１】
0006436897.tif 000012
【図１２】
0006436897.tif 000013
【図１３】
0006436897.tif 000014
【図１４】
0006436897.tif 000015
【図１５】
0006436897.tif 000016
【図１６】
0006436897.tif 000017
【図１７】
0006436897.tif 000018
【図１８】
0006436897.tif 000019
【図１９】
0006436897.tif 000020
【図２０】
0006436897.tif 000021
【図２１】
0006436897.tif 000022
【図２２】
0006436897.tif 000023
【図２３】
0006436897.tif 000024
【図２４】
0006436897.tif 000025
【図２５】
0006436897.tif 000026
【図２６】
0006436897.tif 000027
【図２７】
0006436897.tif 000028
【図２８】
0006436897.tif 000029
【図２９】
0006436897.tif 000030
【図３０】
0006436897.tif 000031
【図３１】
0006436897.tif 000032
【図３２】
0006436897.tif 000033
【図３３】
0006436897.tif 000034
【図３４】
0006436897.tif 000035
【図３５】
0006436897.tif 000036
【図３６】
0006436897.tif 000037
【図３７】
0006436897.tif 000038